(57)【要約】【課題】サイズ・ミスマッチが生じても１枚の記録紙に原稿全体を無駄なく印刷出力することを可能とする。【解決手段】画像データの原稿サイズと予め選択した給紙カセットの記録紙のサイズとが一致するか否かを判断し、サイズが一致しないと判断されたとき原稿サイズを記録紙のサイズに合わせて縮小又は拡大して印刷出力する印刷制御部９を備え、サイズ・ミスマッチが生じても１枚の記録紙に原稿全体を無駄なく印刷出力することを特徴とする。【選択図】図１
2007136688.tif 000002
【特許請求の範囲】
【請求項１】
データ入力装置から取得した画像データを複数の給紙カセットから予め選択した給紙カセットの記録紙に印刷出力する画像形成装置において、
前記画像データの原稿サイズと前記選択した給紙カセットの記録紙のサイズとが一致するか否かを判断するサイズ判断部と、
前記サイズ判断部でサイズが一致しないと判断されたとき前記原稿サイズを記録紙のサイズに合わせて縮小又は拡大して印刷出力する制御部とを備えた
ことを特徴とする画像形成装置。
【請求項２】
請求項１記載の画像形成装置であって、
前記制御部は、前記サイズ判断部でサイズが一致しないと判断されたとき最初に選択した給紙カセットから記録紙を用いて印刷出力するか他の給紙カセットを選択し該給紙カセットの記録紙を用いて印刷出力する
ことを特徴とする画像形成装置。
【請求項３】
請求項１又は２記載の画像形成装置であって、
前記原稿サイズが前記選択した給紙カセットの記録紙のサイズを上回るとき原稿サイズを縮小すると共に同下回るとき原稿サイズを拡大する
ことを特徴とする画像形成装置。
【発明の詳細な説明】
【技術分野】
【０００１】
本発明は、ホスト・コンピュータ等に接続されるプリンタ等の画像形成装置に関する。
【背景技術】
【０００２】
従来、この種の画像形成装置では、画像データの原稿サイズと給紙カセットにストックされた記録紙のサイズとが異なるとき（サイズ・ミスマッチ）でも、そのまま出力が行われ、例えば、画像データの原稿サイズがＡ３のとき記録紙のサイズがＡ４であると、１枚の記録紙に原稿全体を印刷することができなかった。逆に、原稿サイズがＡ４のとき記録紙のサイズがＡ３であると、記録紙の無駄が多くなるという問題がある。
【０００３】
これに対し、原稿データのサイズの長辺又は短辺の長さが検知した用紙の幅と一致したとき給紙して印刷し、正確な印刷を行わせるものもある。
【０００４】
しかし、この場合、サイズ・ミスマッチが生じたとき、印刷出力ができないという問題がある。
【０００５】
【特許文献１】特開２００５−８８３６４号公報
【発明の開示】
【発明が解決しようとする課題】
【０００６】
解決しようとする問題点は、サイズ・ミスマッチが生じたとき１枚の記録紙に原稿全体を無駄なく印刷出力することができないか、印刷出力が全くできなくなる点である。
【課題を解決するための手段】
【０００７】
本発明は、サイズ・ミスマッチが生じても１枚の記録紙に原稿全体を無駄なく印刷出力することを可能とするため、画像データの原稿サイズと予め選択した給紙カセットの記録紙のサイズとが一致するか否かを判断するサイズ判断部と、サイズ判断部でサイズが一致しないと判断されたとき原稿サイズを記録紙のサイズに合わせて縮小又は拡大して印刷出力する制御部とを備えたことを最も主要な特徴とする。
【発明の効果】
【０００８】
本発明の画像形成装置では、画像データの原稿サイズと予め選択した給紙カセットの記録紙のサイズとが一致するか否かを判断するサイズ判断部と、サイズ判断部でサイズが一致しないと判断されたとき原稿サイズを記録紙のサイズに合わせて縮小又は拡大して印刷出力する制御部とを備えたため、サイズ・ミスマッチが生じても１枚の記録紙に原稿全体を無駄なく印刷出力することができる。
【発明を実施するための最良の形態】
【０００９】
サイズ・ミスマッチが生じても１枚の記録紙に原稿全体を無駄なく印刷出力するという目的を、原稿サイズを縮小又は拡大することで実現した。
【実施例１】
【００１０】
［画像形成装置］
図１は、本発明の実施例１を適用した画像形成装置の構成図である。
【００１１】
図１のように、画像形成装置として例えばプリンタ１は、例えばホスト・コンピュータ３に接続され、データ受信部５、画像再生部７、印刷制御部９、エンジン制御部１１、給紙カセット１３，１５，１７、プリンタ操作パネル１９等を備えている。
【００１２】
前記ホスト・コンピュータ３は、広い意味でデータ入力装置を構成するものであり、例えばクライアント・コンピュータから送られた画像データをプリンタ１へ転送する。
画像データには、クライアント・コンピュータにより作成された原稿データの他に予め設定された原稿サイズ・データ及び給紙方法データが含まれている。
【００１３】
前記データ受信部５は、インタ・フェースであり、前記ホスト・コンピュータ３から転送されたポスト・スクリプト言語の画像データを受信し、画像生成部７へ出力する。
【００１４】
前記画像生成部７は、転送された画像データの原稿データを展開処理し、メモリ上に生成する。
【００１５】
前記印刷制御部９は、プリンタ操作パネル１９からのユーザ操作による操作信号を入力すると共に、原稿サイズ・データ及び給紙方法データを入力し、エンジン制御部１１へドット・データ等を送信する。
【００１６】
前記エンジン制御部１１は、印刷制御部９からの信号により、プリンタ・エンジンを制御し、給紙方法データにより指定された何れかの給紙カセット１３，１５，１７、又は自動選択された何れかの給紙カセット１３，１５，１７から給紙して印刷出力する。
【００１７】
前記給紙カセット１３，１５，１７には、例えば、Ａ３，Ａ４，Ｂ４，Ｂ５等のサイズの記録紙を選択してセット可能であり、図１では、給紙カセット１３，１５に、よく使うＡ４がセットされ、給紙カセット１７にＢ５がセットされている。
【００１８】
前記プリンタ操作パネル１９は、タッチ・パネル等で形成され、種々の設定操作を可能とする。本実施例では、画像データの原稿サイズと選択された給紙カセットにストックされた記録紙のサイズとが異なるとき（サイズ・ミスマッチ）、エラー表示等を行わせ、ユーザに、選択した給紙カセットにサイズの一致する記録紙を補給するか、他の給紙カセットを選択するか等の操作を促す。ユーザは、エラー表示を見て、サイズ・ミスマッチに気づき、プリンタ操作パネル１９の操作により、選択されたままの給紙カセットを使用するか、他の給紙カセットを選択するか等の操作をすることができる。
【００１９】
前記サイズ・ミスマッチの判断は、例えば印刷制御部９に入力された給紙方法データにより選択された給紙カセット１３，１５，１７の記録紙サイズと原稿サイズ・データとの比較により行われる。従って、印刷制御部９は、画像データの原稿サイズと選択した給紙カセット１３，１５，１７の記録紙のサイズとが一致するか否かを判断するサイズ判断部を構成する。
【００２０】
前記サイズ・ミスマッチが起こったとき、印刷制御部９は、メモリ上に生成されているデータを自動縮小又は自動拡大して出力することができ、印刷制御部９は、サイズが一致しないと判断されたとき前記原稿サイズを記録紙のサイズに合わせて縮小又は拡大して印刷出力する制御部を構成している。
【００２１】
前記給紙カセット１３，１５，１７の記録紙サイズは、例えば給紙カセットそのもののサイズ、或いはそれぞれセットされた記録紙の長辺等に合わせて位置合わせされた部材の位置信号等を印刷制御部９が読み込むことで判断される。本実施例では、カセット・サイズとしている。
【００２２】
［サイズ・ミスマッチ後の動作］
図２は、サイズ・ミスマッチが発生した後の動作を示すフローチャートである。
【００２３】
図２のフローチャートは、サイズ・ミスマッチの発生により実行される。
【００２４】
ステップＳ１では、「サイズ・ミスマッチ発生」の確認処理が行われる。この処理では、プリンタ操作パネル１９上に、サイズ・ミスマッチのエラー表示が行われ、ユーザにサイズ・ミスマッチが起こったことを知らせ、ステップＳ２へ移行する。
【００２５】
ステップＳ２では、「サイズが一致するサイズを補給するか？」の処理が実行される。この処理では、プリンタ操作パネル１９上に、選択した給紙カセットにサイズの一致する記録紙を補給するか否かのメッセージ表示が行われ、プリンタ操作パネル１９上の操作により「補給する」を選択したときは、ステップＳ３へ移行し、「補給しない」を選択したときは、ステップＳ４へ移行する。
【００２６】
ステップＳ３では、「原稿サイズを変更せずに出力」の処理が実行される。この処理では、「補給する」を選択したユーザが、最初に選択した給紙カセットに原稿サイズと一致した記録紙を給紙しているので、そのまま補給された記録紙が使用されて印刷出力される。
【００２７】
ステップＳ４では、「どの給紙カセットを選択するか？」の判断処理が実行される。この処理では、プリンタ操作パネル１９上に、選択した給紙カセット以外のどの給紙カセットを選択するかのメッセージ表示が行われる。ユーザは、プリンタ操作パネル１９上の操作により、「最初に選択した給紙カセットから強制出力」を選択するか、「サイズが一致しない他の給紙カセットを選択」を選択する。
「最初に選択した給紙カセットから強制出力」を選択したときは、ステップＳ５へ移行し、「サイズが一致しない他の給紙カセットを選択」を選択したときは、ステップＳ６へ移行する。
【００２８】
ステップＳ５では、「最初に選択した給紙カセットから強制出力」の処理が実行され、ステップＳ６では、「サイズが一致しない他の給紙カセットを選択」の処理が実行され、それぞれステップＳ７へ移行する。
【００２９】
ステップＳ７では、「原稿サイズと給紙カセットのサイズを比較」の処理が実行される。この処理では、印刷制御部９において読み込まれた給紙カセットの記録紙サイズが原稿サイズ・データと比較され、原稿サイズがカセット・サイズ（記録紙サイズ）を上回れば（原稿サイズ＞カセット・サイズ）、ステップＳ８へ移行し、下回れば（原稿サイズ＜カセット・サイズ）、ステップＳ９へ移行する。
【００３０】
ステップＳ８では、「原稿サイズを自動縮小して印刷」の処理が実行され、ステップＳ９では、「原稿サイズを自動拡大して印刷」の処理が実行され、処理は終了する。
【００３１】
従って、例えば原稿サイズがＡ３であり図１のように、給紙カセット１３，１５に、よく使うＡ４がセットされ、給紙カセット１７にＢ５がセットされているとき、給紙方法の設定において給紙カセット１３，１５，１７の何れかが選択されると、サイズ・ミスマッチが発生する。この場合、上記ステップＳ８の処理により、Ａ３の原稿サイズがＡ４又はＢ５の記録紙サイズに自動縮小されて出力される。また、原稿サイズがＢ５であり、給紙方法の設定において給紙カセット１３又は給紙カセット１５が選択されると、サイズ・ミスマッチが発生する。この場合、上記ステップＳ９の処理により、Ｂ５の原稿サイズがＡ４の記録紙サイズに自動拡大されて出力される。
【００３２】
［実施例１の効果］
本発明実施例の画像形成装置では、画像データの原稿サイズと予め選択した給紙カセットの記録紙のサイズとが一致するか否かを印刷制御部９により判断し、サイズが一致しないと判断されたとき原稿サイズを記録紙のサイズに合わせて自動縮小又は自動拡大して印刷出力することができ、サイズ・ミスマッチが生じても１枚の記録紙に原稿全体を無駄なく印刷出力することができる。
【００３３】
前記印刷制御部９は、サイズが一致しないと判断されたとき最初に選択した給紙カセットから記録紙を用いて印刷出力するか他の給紙カセットを選択し該給紙カセットの記録紙を用いて印刷出力することができる。このため、最初に選択した給紙カセットもそのまま使用することが可能であり、操作が簡単である。
【００３４】
前記原稿サイズが前記選択したカセットの記録紙のサイズを上回るとき原稿サイズを自動縮小すると共に同下回るとき原稿サイズを自動拡大するため、サイズ・ミスマッチが生じても１枚の記録紙に原稿全体を無駄なく確実に印刷出力することができる。
【図面の簡単な説明】
【００３５】
【図１】画像形成装置の構成図である（実施例１）。
【図２】フローチャートである（実施例１）。
【符号の説明】
【００３６】
１  画像形成装置
３  ホスト・コンピュータ（データ入力装置）
９  印刷制御部（サイズ判断部，制御部）
【図１】
2007136688.tif 000003
【図２】
2007136688.tif 000004